【手続補正書】
【提出日】平成27年12月15日(2015.12.15)
【手続補正１】
【補正対象書類名】明細書
【補正対象項目名】００１３
【補正方法】変更
【補正の内容】
【００１３】
（発明の実施態様４）
第１発明又は第２発明のズームレンズにおいて、前記像を移動させるための負レンズ群もしくは該負レンズ群の一部が、以下の条件式を満足することを特徴とする。
-2.8 ≦ (1-βa)×βb ≦ -1.0  ・・・・・・・・・・・・・・（4）
但し、
βa ： 垂直方向に移動可能なレンズ群の望遠端における倍率
βb ： 垂直方向に移動可能なレンズ群より像側に位置するレンズ群の望遠端における合       成倍率
【手続補正２】
【補正対象書類名】明細書
【補正対象項目名】００１４
【補正方法】変更
【補正の内容】
【００１４】
（発明の実施態様５）
第１発明又は第２発明のズームレンズにおいて、さらに、条件式（5）を満足することを特徴とする。
0.60 ≦ Lt/fT ≦ 0.75 ・・・・・・・・・・・・・・・・・・（5）
但し、
Lt：望遠端におけるレンズ系全長
fT：望遠端における焦点距離
【手続補正３】
【補正対象書類名】明細書
【補正対象項目名】００１５
【補正方法】変更
【補正の内容】
【００１５】
（発明の実施態様６）
第１発明又は第２発明のズームレンズにおいて、前記第３レンズ群以降に、変倍時に移動する少なくとも２つの移動レンズ群を含むことを特徴とする。
【手続補正４】
【補正対象書類名】明細書
【補正対象項目名】００１８
【補正方法】変更
【補正の内容】
【００１８】
条件式（２）は、第１レンズ群の焦点距離を規定するための条件式である。
条件式（２）の下限を超えて第１レンズ群の正の屈折力が強いと、望遠端での色収差が大きくなり、その補正が困難となる。また、上限を超えて第１レンズ群の正の屈折力が弱いと、第２レンズ群に入射する光束が小さくならないので、第２レンズ群が大型化することと、第１レンズ群の移動量の増大を招き、鏡筒全体の大型化に繋がってしまう。
【手続補正５】
【補正対象書類名】明細書
【補正対象項目名】００２０
【補正方法】変更
【補正の内容】
【００２０】
条件式（３）は、第３レンズ群の焦点距離を規定するための条件式である。
条件式（３）の下限を超えて第３レンズ群の正の屈折力が強いと、望遠端における球面収差が大きくなり、補正が困難となる。また、上限を超えて第３レンズ群の正の屈折力が弱いと、第３レンズ群以降に存在する防振レンズ群に入射する光束が小さくならないので、防振レンズ群が大型化し、防振レンズユニットの大型化を招き、鏡筒全体の大型化に繋がってしまう。
【手続補正６】
【補正対象書類名】明細書
【補正対象項目名】００２１
【補正方法】変更
【補正の内容】
【００２１】
条件式（３）は、より顕著な効果を得るために、望ましくは
0.20 ≦ f3/√(fw×fT) ≦ 0.40 ・・・・・・・・・・・・・・・・・（3’）
である。
条件式（３）は、より顕著な効果を得るために、さらに望ましくは
0.20 ≦ f3/√(fw×fT) ≦ 0.35 ・・・・・・・・・・・・・・・・・（3''）
である。
【手続補正７】
【補正対象書類名】明細書
【補正対象項目名】００２３
【補正方法】変更
【補正の内容】
【００２３】
条件式（５）は、望遠端におけるレンズ系の大きさを規定する条件式である。
条件式（５）を満足することにより、特に望遠端でのレンズ系全長が非常に短い望遠ズームレンズを実現することができ、かつ光学系の高い結像性能を得ることができる。
条件式（５）の下限を超えると、望遠端でのレンズ系全長が短くなり過ぎて、特に広角端において所望の光学性能を確保できなくなる。逆に、条件式（5）の上限を超えると、望遠端での全長が長い望遠ズームレンズとなってしまい、鏡筒全体の小型化への妨げとなる。
【手続補正８】
【補正対象書類名】明細書
【補正対象項目名】００２５
【補正方法】変更
【補正の内容】
【００２５】
（第１実施形態）
図１は、本発明の第１実施形態に係るズームレンズのレンズ構成を示すレンズ断面図である。第１実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5と、負の屈折力を有する第６レンズ群G6とによって構成される。
【手続補正９】
【補正対象書類名】明細書
【補正対象項目名】００２７
【補正方法】変更
【補正の内容】
【００２７】
第１実施形態のズームレンズにおいては、広角端から望遠端への変倍に際して、第１レンズ群が物体側に移動し、第２レンズ群は固定、第３レンズ群は第２レンズ群に対して像側に凸の軌跡を描きながら移動し、第４レンズ群は第３レンズ群に対して像側に凸の軌跡を描きながら移動し、第５レンズ群は物体側に移動し、第６レンズ群は第４レンズ群と一体となって、第４レンズ群と同様に移動する。
【手続補正１０】
【補正対象書類名】明細書
【補正対象項目名】００３０
【補正方法】変更
【補正の内容】
【００３０】
［表１］
NS            R           D         Nd         νｄ
1         486.4782      1.4500     1.83400     37.34
2          83.3399      0.0100     1.56732     42.84
3          83.3399      5.5100     1.49700     81.61
4        -172.8214      0.1500        
5          63.2093      5.2914     1.48749     70.44
6        -895.6302     D( 6)          
7           0.0000      1.8876       
8         -96.2544      0.7500     1.76524     50.37
9          18.4045      0.0100     1.56732     42.84
10         18.4045      3.0631     1.80518     25.46
11         70.9807      2.5194       
12        -41.5515      0.7000     1.80420     46.50
13     -10114.4818     D(13)         
14         39.2470      4.1119     1.49700     81.61
15        -41.3613      0.1000      
16         40.1380      2.6375     1.48749     70.44
17      -1692.6300      0.1000       
18         43.0535      3.8276     1.48749     70.44
19        -29.6342      0.0100     1.56732     42.84
20        -29.6342      0.7000     1.90739     33.25
21        119.5406      6.7000       
22      -1390.5046      0.6000     1.77791     44.07
23         18.4637      0.0100     1.56732     42.84
24         18.4637      2.3536     1.90366     31.31
25         48.8224      2.3000        
26 STOP    0.0000     D(26)          
27         52.7369      2.8298     1.56732     42.84
28        -27.8361      0.1000        
29         26.5392      3.2246     1.54356     46.62
30        -23.1396      0.0100     1.56732     42.84
31        -23.1396      0.6000     1.90366     31.31
32        104.0723     D(32)          
33         54.2263      1.4342     1.80518     25.46
34        -61.6536      0.0100     1.56732     42.84
35        -61.6536      0.5600     1.74161     49.80
36         16.9498     D(36)          
37        -24.4610      0.9300     1.48749     70.44
38        -87.3035      0.0000        
39          0.0000     D(39)          
40          0.0000      2.8000     1.51680     64.20
41          0.0000      1.0000     
【手続補正１１】
【補正対象書類名】明細書
【補正対象項目名】００３４
【補正方法】変更
【補正の内容】
【００３４】
第１レンズ群G1は、物体側から順に、物体側に凸面を向けた負の屈折力を有するメニスカスレンズL1と、正の屈折力を有するレンズL2との接合レンズと、物体側に凸面を向けた正の屈折力を有するメニスカスレンズL3とで、構成される。
第２レンズ群G2は、物体側から順に、正の屈折力を有するレンズL4と、負の屈折力を有するレンズL5との接合レンズと、物体側に凸面を向けた正の屈折力を有するレンズL6と、負の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、正の屈折力を有するレンズL20との接合レンズとで構成される。
【手続補正１２】
【補正対象書類名】明細書
【補正対象項目名】００３８
【補正方法】変更
【補正の内容】
【００３８】
［表４］
NS            R           D          Nd        νｄ 
1         507.2915      3.0000     1.83400     37.34
2         170.5651      0.0200     1.56732     42.84
3         170.5651     10.0500     1.49700     81.61
4        -546.9417      0.3000         
5         140.0409      9.1000     1.49700     81.61 
6        6747.4128     D( 6)           
7        -462.7175      4.4000     1.80518     25.46
8         -59.7377      0.0100     1.56732     42.84
9         -59.7377      1.6000     1.75540     47.52
10         89.4635      1.7000        
11         84.1934      4.0322     1.80518     25.46
12       -143.0460      0.0100     1.56732     42.84
13       -143.0460      1.4000     1.83481     42.72
14        103.1048      4.3467        
15        -72.3495      1.5000     1.90366     31.31
16       -959.3316     D(16)          
17         96.4840      4.8156     1.49700     81.61
18        -93.3616      0.2000        
19        136.2135      3.8473     1.48749     70.44
20       -135.3488      0.2000        
21         74.9337      5.3536     1.48749     70.44
22        -69.9732      0.0100     1.56732     42.84
23        -69.9732      1.5000     1.90366     31.31
24      -1625.6271     12.0000        
25       -276.9348      1.2000     1.80393     37.39
26         24.9138      0.0100     1.56732     42.84
27         24.9138      4.7931     1.83950     29.48
28        112.4209      4.5000        
29 STOP     0.0000     D(29)          
30         82.8644      4.6000     1.50601     60.25
31        -68.5146      0.2000        
32         38.3468      5.4000     1.50163     62.32
33        -58.6905      0.0100     1.56732     42.84
34        -58.6905      3.3708     1.90366     31.31
35       1283.2003      0.0000        
36          0.0000     D(36)          
37        101.8564      1.3000     1.83481     42.72
38         24.0855      5.7488        
39        -73.4446      1.3504     1.48749     70.44
40         24.7023      0.0100     1.56732     42.84
41         24.7023      5.6000     1.66885     31.91
42      -3665.3014     D(42)          
43          0.0000      2.0000     1.51680     64.20
44          0.0000      1.0000     
【手続補正１３】
【補正対象書類名】明細書
【補正対象項目名】００４１
【補正方法】変更
【補正の内容】
【００４１】
（第３実施形態）
図９は、本発明の第３実施形態に係るズームレンズのレンズ構成を示すレンズ断面図である。第３実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とによって構成される。
【手続補正１４】
【補正対象書類名】明細書
【補正対象項目名】００４２
【補正方法】変更
【補正の内容】
【００４２】
第１レンズ群G1は、物体側から順に、物体側に凸面を向けた負の屈折力を有するメニスカスレンズL1と、正の屈折力を有するレンズL2との接合レンズと、正の屈折力を有するレンズL3とによって構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL6と、正の屈折力を有するレンズL7との接合レンズと、物体側に凹面を向けた負の屈折を有するメニスカスレンズL8とによって構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、物体側に凸面を向けた正の屈折力を有するメニスカスレンズL20との接合レンズとで構成される。
【手続補正１５】
【補正対象書類名】明細書
【補正対象項目名】００４５
【補正方法】変更
【補正の内容】
【００４５】
第３実施形態のズームレンズのレンズデータを表７に示す。
［表７］
NS            R            D          Nd        νｄ
1          297.9129      2.8300     1.83400     37.34
2          135.0384      0.0200     1.56732     42.84
3          135.0384      9.3000     1.49700     81.61
4        -4966.1736      0.3000         
5          146.0473      8.5000     1.49700     81.61
6        -1305.5193     D( 6)           
7          213.6104      4.2002     1.80518     25.46
8          -62.5956      0.0100     1.56732     42.84
9          -62.5956      1.5700     1.74645     49.97
10         144.9586      3.2900        
11        -612.2359      1.4500     1.83404     40.21
12          48.5752      0.0100     1.56732     42.84
13          48.5752      3.2100     1.80518     25.46
14         152.1415      2.4500        
15         -71.1073      1.4200     1.90366     31.31
16        2627.1686     D(16)          
17          97.4108      3.9312     1.49700     81.61
18         -83.4307      0.2000        
19         126.7004      3.1209     1.48749     70.44
20        -143.7416      0.2000        
21          69.4530      4.8712     1.48749     70.44
22         -68.6082      0.0100     1.56732     42.84
23         -68.6082      1.4200     1.90366     31.31
24       -2644.7437     12.0500        
25        -271.3050      1.2500     1.82533     40.81
26          28.0112      0.0100     1.56732     42.84
27          28.0112      3.9500     1.89851     30.99
28         101.7617      4.4401        
29 STOP      0.0000     D(29)          
30          89.3134      3.7900     1.52994     52.35
31         -63.6313      0.2000        
32          36.8157      5.1142     1.50170     69.40
33         -56.3810      0.0100     1.56732     42.84
34         -56.3810      1.3200     1.90366     31.31
35        1002.5920      0.0000       
36           0.0000     D(36)         
37         101.3957      1.2500     1.81828     43.28
38          23.0588      5.9200        
39         -51.4450      1.4000     1.48749     70.44
40          26.1939      0.0100     1.56732     42.84
41          26.1939      5.4332     1.72579     34.70
42        -206.0292     D(42)          
43           0.0000      2.0000     1.51680     64.20
44           0.0000      1.0000    
【手続補正１６】
【補正対象書類名】明細書
【補正対象項目名】００４８
【補正方法】変更
【補正の内容】
【００４８】
（第４実施形態）
図１３は、第４実施形態のズームレンズのレンズ構成を示すレンズ断面図である。第４実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とで構成される。
【手続補正１７】
【補正対象書類名】明細書
【補正対象項目名】００４９
【補正方法】変更
【補正の内容】
【００４９】
第１レンズ群G1は、物体側から順に、物体側に凸面を向けた負の屈折力を有するメニスカスレンズL1と、正の屈折力を有するレンズL2との接合レンズと、正の屈折力を有するレンズL3とで、構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL6と、正の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、物体側に凸面を向けた正の屈折力を有するメニスカスレンズL20との接合レンズとで構成される。
【手続補正１８】
【補正対象書類名】明細書
【補正対象項目名】００５２
【補正方法】変更
【補正の内容】
【００５２】
第４実施形態のズームレンズのレンズデータを、表１０に示す。
［表１０］
NS            R            D          Nd        νｄ
1          426.3567      3.0000     1.83400     37.34
2          159.9066      0.0200     1.56732     42.84
3          159.9066     10.0500     1.49700     81.61
4         -684.4955      0.3000         
5          140.0775      9.1000     1.49700     81.61
6         8733.4134     D( 6)           
7          558.1944      4.4000     1.80518     25.46
8          -61.1413      0.0100     1.56732     42.84
9          -61.1413      1.6000     1.72916     54.67
10         177.9802      2.6000        
11         583.7869      1.5000     1.80450     39.64
12          50.6562      0.0100     1.56732     42.84
13          50.6562      3.4000     1.80518     25.46
14         142.9473      3.7000        
15         -73.8510      1.5000     1.90366     31.31
16         515.2175     D(16)          
17         432.7323      4.1000     1.49700     81.61
18        -112.9310      0.2000        
19          73.5789      5.2184     1.48749     70.44
20         -95.0713      0.2000        
21          87.0854      5.1506     1.48749     70.44
22         -66.1655      0.0100     1.56732     42.84
23         -66.1655      1.5000     1.90366     31.31
24        -710.1255     12.5500        
25        -236.4657      0.9000     1.74400     44.79
26          27.5546      0.0100     1.56732     42.84
27          27.5546      4.1589     1.80610     33.27
28          99.2354      4.5500        
29 STOP      0.0000     D(29)          
30          65.1174      4.1342     1.51742     52.15
31         -65.1174      0.2000        
32          50.5972      5.4000     1.51823     58.96
33         -48.1430      0.0100     1.56732     42.84
34         -48.1430      1.3000     1.90366     31.31
35        1899.0359      0.0000        
36           0.0000     D(36)          
37         113.8672      2.2800     1.83481     42.72
38          25.8597      6.9561        
39         -55.4034      1.3000     1.48749     70.44
40          29.6386      0.0100     1.56732     42.84
41          29.6386      5.9000     1.72047     34.71
42        -175.0744     D(42)          
43           0.0000      2.0000     1.51680     64.20
44           0.0000      1.0000
【手続補正１９】
【補正対象書類名】明細書
【補正対象項目名】００５６
【補正方法】変更
【補正の内容】
【００５６】
第５実施形態のズームレンズの第１レンズ群G1は、物体側から順に、物体側に凸面を向けた負の屈折力を有するメニスカスレンズL1と、正の屈折力を有するレンズL2との接合レンズと、物体側に凸面を向けた正の屈折力を有するメニスカスレンズL3とで、構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL6と、正の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、両凸レンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と両凸レンズL16と、負の屈折力を有するレンズL17との接合レンズとで構成される。
第５レンズ群G5は、物体側から順に、物体側に凸面を向けた負の屈折力を有するレンズL18と、両凹レンズL19と、両凸レンズL20との接合レンズとで構成される。
【手続補正２０】
【補正対象書類名】明細書
【補正対象項目名】００５９
【補正方法】変更
【補正の内容】
【００５９】
第５実施形態のズームレンズのレンズデータを、表１３に示す。
［表１３］
NS            R            D          Nd       νｄ
1          343.2915      3.0000     1.83400    37.34
2          145.9091      0.0200     1.56732    42.84
3          145.9091     10.0500     1.49700    81.61
4        -1465.0143      0.3000     
5          146.8570      9.3000     1.49700    81.61
6        -2192.2330       D( 6)       
7          247.8836      4.5000     1.80518    25.46
8          -60.9978      0.0100     1.56732    42.84
9          -60.9978      1.6000     1.75243    49.57
10         122.8808      3.5590     
11       -3272.8176      1.5000     1.83888    39.37
12          44.9185      0.0100     1.56732    42.84
13          44.9185      3.5140     1.80518    25.46
14         172.9348      2.7259     
15         -65.8855      1.5000     1.90366    31.31
16       -8818.9517       D(16)       
17         107.5605      4.2567     1.49700    81.61
18         -82.4101      0.2000     
19         131.8612      3.5227     1.48749    70.44
20        -137.2545      0.2000     
21          74.0878      5.3399     1.48749    70.44
22         -69.9110      0.0100     1.56732    42.84
23         -69.9110      1.5000     1.90366    31.31
24       -2310.5069     13.5458     
25        -220.8383      1.2000     1.71680    45.46
26          29.9133      0.0100     1.56732    42.84
27          29.9133      4.1500     1.80610    33.27
28          95.4308      5.0000     
29 STOP      0.0000       D(29)      
30          80.8865      4.1200     1.50860    59.40
31         -64.5149      0.2000     
32          37.7400      5.4200     1.50623    60.42
33         -57.0230      0.0100     1.56732    42.84
34         -57.0230      1.3000     1.90366    31.31
35         797.3134       D(35)       
36          94.7210      1.3000     1.82563    41.77
37          24.4742      6.4000     
38         -55.8634      1.3000     1.48749    70.44
39          25.9416      0.0100     1.56732    42.84
40          25.9416      5.6800     1.65673    32.70
41        -226.3658       D(41)       
42           0.0000      2.0000     1.51680    64.20
43           0.0000      1.0000       
【手続補正２１】
【補正対象書類名】明細書
【補正対象項目名】００６１
【補正方法】変更
【補正の内容】
【００６１】
第５実施形態のズームレンズの広角端状態(f=122.40)、中間焦点距離状態(f=304.04)及び望遠端状態(f=582.00)での近接物体合焦時の面間隔を、無限物体合焦時の焦点距離f、第1レンズ面から物体までの距離D(0)と共に、表１５に示す。
［表１５］
f        122.4004     304.04  582.0000
D( 0)   2217.380     2152.787     2122.908
D(29)     34.11145     15.72925     14.53497
D(35)     11.99467     10.42577     14.01258
【手続補正２２】
【補正対象書類名】明細書
【補正対象項目名】００６２
【補正方法】変更
【補正の内容】
【００６２】
第１実施形態から第５実施形態における条件式（１）から条件式（５）の値を、表１６に示す。
［表１６］
実施形態                  第１      第２        第３      第４      第５
条件式(1) X1/fT          0.1336    0.1326      0.1335    0.1347    0.1623 
条件式(2) f1/√(fw*fT)   0.7965    0.8312      0.8788    0.8265    0.9242
条件式(3) f3/√(fw*fT)   0.3005    0.2462      0.2541    0.2665    0.2616 
条件式(4) (1-βa)*βb   -1.2043   -1.5548     -1.2205   -1.4781   -1.4517 
条件式(5) Lt/fT          0.6207    0.6457      0.7213    0.6509    0.6479
【手続補正２３】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群と、負の屈折力を有する第２レンズ群と、正の屈折力を有する第３レンズ群とを少なくとも有し、第３レンズ群以降の負レンズ群もしくは該負レンズ群の一部分を光軸と垂直な方向に移動させることにより像を移動させ、以下の条件式を満足することを特徴とするズームレンズ。
0.11 ≦ X1/fT ≦ 0.28     ・・・・・・・・・・・・・・・・（1）
0.5 ≦ f1/√(fw×fT) ≦ 1.3 ・・・・・・・・・・・・・・・（2）
0.20 ≦ f3/√(fw×fT) ≦ 0.45 ・・・・・・・・・・・・・・（3）
但し、
X1：変倍時における第１レンズ群の広角端から望遠端までの移動量
fw：広角端における焦点距離
fT：望遠端における焦点距離
f1：第１レンズ群の焦点距離
f3：第３レンズ群の焦点距離
【請求項２】
物体側から順に、正の屈折力を有する第１レンズ群と、負の屈折力を有する第２レンズ群と、正の屈折力を有する第３レンズ群と、第４レンズ群と、第５レンズ群とを少なくとも有し、第３レンズ群以降の負レンズ群もしくは該負レンズ群の一部分を光軸と垂直な方向に移動させることにより像を移動させ、以下の条件式を満足することを特徴とするズームレンズ。
0.11 ≦ X1/fT ≦ 0.28     ・・・・・・・・・・・・・・・・（1）
0.5 ≦ f1/√(fw×fT) ≦ 1.3 ・・・・・・・・・・・・・・・（2）
但し、
X1：変倍時における第1レンズ群の広角端から望遠端までの移動量
fw：広角端における焦点距離
fT：望遠端における焦点距離
f1：第１レンズ群の焦点距離
【請求項３】
前記第３レンズ群が、以下の条件式を満足することを特徴とする請求項２に記載のズームレンズ。
0.20 ≦ f3/√(fw×fT) ≦ 0.45 ・・・・・・・・・・・・・・（3）
【請求項４】
前記像を移動させるための負レンズ群もしくは該負レンズ群の一部分の物体側に、正の屈折力のレンズ群もしくは正の屈折力を有するレンズ群部分を有することを特徴とする請求項１ないし３のうちの一項に記載のズームレンズ。
【請求項５】
前記像を移動させるための負レンズ群もしくは該負レンズ群の一部分が、正レンズ、負レンズの少なくとも１枚を有することを特徴とする請求項１ないし４のうちの一項に記載のズームレンズ。
【請求項６】
前記像を移動させるための負レンズ群もしくは該負レンズ群の一部分が、以下の条件式を満足することを特徴とする請求項１ないし５のうちの一項に記載のズームレンズ。
-2.8 ≦ (1-βa)×βb ≦ -1.0  ・・・・・・・・・・・・・・（4）
但し、
βa ： 垂直方向に移動可能なレンズ群の望遠端における倍率
βb ： 垂直方向に移動可能なレンズ群より像側に位置するレンズ群の望遠端における合成倍率
【請求項７】
さらに、条件式（5）を満足することを特徴とする請求項１ないし６のうちの一項に記載のズームレンズ。
0.60 ≦ Lt/fT ≦ 0.75 ・・・・・・・・・・・・・・・・・・（5）
但し、
Lt：望遠端におけるレンズ系全長
fT：望遠端における焦点距離
【請求項８】
前記第３レンズ群以降に、変倍時に移動する少なくとも２つの移動レンズ群を含むことを特徴とする請求項１ないし７のうちの一項に記載のズームレンズ。
【請求項９】
請求項１ないし８のうちの一項に記載のズームレンズの像側に、前記ズームレンズによって形成された光学像を電気的信号に変換する撮像素子を備えたことを特徴とする撮像装置。